(57)【要約】【課題】手摺に大きな力が作用しても充分に支持させることができる、既設の壁に設けられる手摺取付構造を提供する。【解決手段】表面板１１の後面側に縦枠１３が間隔を置いて配置された既設の壁パネル１に手摺５を取り付けるための手摺取付構造である。そして、表面板に形成された開口部１０から後面側に挿入されて縦枠材に固定される支持部材２と、開口部を壁の前面側から覆う化粧パネル３と、化粧パネルに形成される貫通孔３３よりも直径が小さなタッピングネジ４とを備えている。ここで、タッピングネジ４は、手摺のブラケット５１に頭部４ａが定着されるとともに、貫通孔を通って支持部材に手摺に作用した力が伝達されるように固定される。【選択図】図１
2014181520.tif 000002
【特許請求の範囲】
【請求項１】
表面材の後面側に枠材が間隔を置いて配置された既設の壁に手摺を取り付けるための手摺取付構造であって、
前記表面材に形成された開口部から後面側に挿入されて前記枠材に固定される支持部材と、
前記開口部を前記壁の前面側から覆う化粧材と、
前記化粧材に形成される貫通孔よりも直径が小さな軸状支持材とを備え、
前記軸状支持材は、前記手摺の取付部に頭部が定着されるとともに、前記貫通孔を通って前記支持部材に前記手摺に作用した力が伝達されるように固定されることを特徴とする手摺取付構造。
【請求項２】
前記開口部は閉塞板によって塞がれるとともに、前記閉塞板は前記支持部材に接合されることを特徴とする請求項１に記載の手摺取付構造。
【請求項３】
前記支持部材は、前記開口部から後面側に挿入可能な大きさの複数の部材によって構成されることを特徴とする請求項１又は２に記載の手摺取付構造。
【請求項４】
前記枠材は鉛直方向に延びる縦枠であって、前記縦枠間に挿入された支持部材の両側端を前記縦枠に固定することを特徴とする請求項１乃至３のいずれか一項に記載の手摺取付構造。
【請求項５】
前記軸状支持材の先端が前記支持部材に打ち込まれることを特徴とする請求項４に記載の手摺取付構造。
【請求項６】
前記枠材は水平方向に延びる横枠であって、前記横枠間に挿入された支持部材の上下端を前記横枠に固定することを特徴とする請求項１乃至３のいずれか一項に記載の手摺取付構造。
【請求項７】
前記閉塞板の後面には手摺固定板が接合され、前記軸状支持材が前記手摺固定板に打ち込まれることを特徴とする請求項２に記載の手摺取付構造。
【請求項８】
表面材の後面側に枠材が間隔を置いて配置された既設の壁に手摺を取り付ける手摺取付方法であって、
前記表面材に前記壁の前面側から開口部を設ける工程と、
前記開口部から後面側に支持部材を挿入する工程と、
前記支持部材を前記枠材に固定する工程と、
前記開口部を閉塞板で塞ぐとともに前記壁の前面側から化粧材で覆う工程と、
前記化粧材の表面側に前記手摺の取付部を配置し、前記化粧材に形成された貫通孔に向けてそれよりも直径が小さな軸状支持材を打ち込む工程と、
前記支持部材に前記手摺に作用した力が伝達されるように前記軸状支持材を打ち込むとともに頭部を前記取付部に定着させる工程とを備えたことを特徴とする手摺取付方法。
【発明の詳細な説明】
【技術分野】
【０００１】
本発明は、既設の壁に手摺を取り付ける際に構築される手摺取付構造、及び手摺取付方法に関するものである。
【背景技術】
【０００２】
歩行や立ち上がりの補助又は転倒防止などのために、既設の壁に後から手摺を取り付ける場合がある。ここで、室内の壁は、石膏ボードやベニヤ（合板）などで形成されているため、特許文献４に開示されているように枠材が壁板のすぐ背面にある場合を除いて、大きな力が作用する手摺をそのまま取り付けることができず、様々な補強方法が提案されている（特許文献１−３など参照）。
【０００３】
特許文献１には、前後に間隔を置いて配置される２枚の石膏ボードによって形成される壁パネルに、手摺を取り付けるために設けられる補強下地構造が開示されている。この補強下地構造は、表面側の石膏ボードに開口を設け、その開口から裏面側の石膏ボードに接着剤で接合させるブロック状の下地材を挿入して、下地材に手摺を固定するネジをねじ込む構造となっている。
【０００４】
一方、特許文献２に開示された補強構造は、壁材の後面に沿って下地板を取り付け、その下地板に対して手摺を固定するネジをねじ込む構造となっている。また、特許文献３に開示された手摺取付構造は、前後の壁材の間に折り畳まれた筒状体を挿入し、壁材間の隙間で拡げられた筒状体の内空にエポキシ樹脂を注入して固化させて下地にする構成となっている。
【先行技術文献】
【特許文献】
【０００５】
【特許文献１】特開２０１２−２１９４７４号公報
【特許文献２】特開平１１−７１８７８号公報
【特許文献３】特開平７−３１７２６４号公報
【特許文献４】実開平４−８４６３４号公報
【発明の概要】
【発明が解決しようとする課題】
【０００６】
しかしながら特許文献１−３に開示された従来の補強下地構造は、いずれも壁材のみで手摺に作用する力を支持させる構造となっている。手摺には、想定以上の力が作用する場合があるうえに、万が一にも外れた場合に危険であるため、確実に固定されていることが望まれる。
【０００７】
そこで、本発明は、手摺に大きな力が作用しても充分に支持させることができる、既設の壁に設けられる手摺取付構造及び手摺取付方法を提供することを目的としている。
【課題を解決するための手段】
【０００８】
前記目的を達成するために、本発明の手摺取付構造は、表面材の後面側に枠材が間隔を置いて配置された既設の壁に手摺を取り付けるための手摺取付構造であって、前記表面材に形成された開口部から後面側に挿入されて前記枠材に固定される支持部材と、前記開口部を前記壁の前面側から覆う化粧材と、前記化粧材に形成される貫通孔よりも直径が小さな軸状支持材とを備え、前記軸状支持材は、前記手摺の取付部に頭部が定着されるとともに、前記貫通孔を通って前記支持部材に前記手摺に作用した力が伝達されるように固定されることを特徴とする。
【０００９】
ここで、前記開口部は閉塞板によって塞がれるとともに、前記閉塞板は前記支持部材に接合される構成とすることができる。また、前記支持部材は、前記開口部から後面側に挿入可能な大きさの複数の部材によって構成することができる。
【００１０】
また、前記枠材は鉛直方向に延びる縦枠であって、前記縦枠間に挿入された支持部材の両側端を前記縦枠に固定する構成とすることができる。さらに、前記軸状支持材の先端が前記支持部材に打ち込まれる構成であってもよい。
【００１１】
また、前記枠材は水平方向に延びる横枠であって、前記横枠間に挿入された支持部材の上下端を前記横枠に固定する構成とすることができる。さらに、前記閉塞板の後面には手摺固定板が接合され、前記軸状支持材が前記手摺固定板に打ち込まれる構成であってもよい。
【００１２】
そして、本発明の手摺取付方法は、表面材の後面側に枠材が間隔を置いて配置された既設の壁に手摺を取り付ける手摺取付方法であって、前記表面材に前記壁の前面側から開口部を設ける工程と、前記開口部から後面側に支持部材を挿入する工程と、前記支持部材を前記枠材に固定する工程と、前記開口部を閉塞板で塞ぐとともに前記壁の前面側から化粧材で覆う工程と、前記化粧材の表面側に前記手摺の取付部を配置し、前記化粧材に形成された貫通孔に向けてそれよりも直径が小さな軸状支持材を打ち込む工程と、前記支持部材に前記手摺に作用した力が伝達されるように前記軸状支持材を打ち込むとともに頭部を前記取付部に定着させる工程とを備えたことを特徴とする。
【発明の効果】
【００１３】
このように構成された本発明の手摺取付構造は、手摺の取付部に頭部を定着させる軸状支持材を、支持部材に手摺に作用した力が伝達されるように固定するとともに、その支持部材を壁の骨格である枠材に固定する。また、壁の前面側に配置される化粧材には、軸状支持材から力が伝達されないように、軸状支持材の直径よりも大きな貫通孔を設ける。
【００１４】
このため、手摺から受ける力が支持部材を介して壁の枠材に伝達されることになるので、手摺に大きな力が作用しても充分に支持させることができる。また、開口部を塞いだ閉塞板を支持部材に接合させることで、閉塞板に固定された部材から伝達された力も、支持部材を介して枠材に伝達させることができる。
【００１５】
また、支持部材を開口部に挿入可能な複数の部材によって構成することで、開口部の大きさを最小限に抑えることができる。開口部の大きさが小さくなれば、それを覆う化粧材のデザインの制限が少なくなり、意匠性に富んだ外観を創出することができるようになる。
【００１６】
さらに、水平方向に延びる手摺を既設の壁に取り付ける場合は、壁の縦枠に支持部材の両側端を固定することで、確実に手摺からの力を受けることができるようになる。
【００１７】
一方、鉛直方向に延びる手摺を既設の壁に取り付ける場合は、壁の横枠に支持部材の上下端を固定することで、確実に手摺からの力を受けることができるようになる。
【００１８】
また、支持部材に接合された閉塞板の後面に手摺固定板が接合されていれば、軸状支持材を手摺固定板に打ち込むことで手摺を取り付けることができるようになるため、手摺の取付位置の自由度を広げることができる。
【００１９】
そして、既設の壁に前面側から開口部を設け、支持部材や化粧材を取り付けていく手摺取付方法であれば、すべて壁の前面側から簡単に作業を行うことができる。さらに、開口部を化粧材で覆うため、壁紙の貼り替えを行う必要がない。
【図面の簡単な説明】
【００２０】
【図１】本発明の実施の形態の手摺取付構造の構成を説明する断面図である。
【図２】手摺が取り付けられる壁パネルの構成を説明する斜視図である。
【図３】壁パネルに手摺が取り付けられた状態を説明する図であって、（ａ）は平面視で見た図、（ｂ）は正面図である。
【図４】図３（ａ）の左端部分を拡大して説明する平面図である。
【図５】図３（ｂ）の右端部分を拡大して説明する正面図である。
【図６】支持部材の構成を説明する図であって、（ａ）は下部材の斜視図、（ｂ）は上部材の斜視図である。
【図７】配線の保護管が配置される部分の支持部材の構成を示した説明図である。
【図８】開口部が設けられた壁パネルの状態を示した正面図である。
【図９】支持部材を壁パネルの内部に取り付ける工程を説明する工程図である。
【図１０】支持部材が取り付けられた状態を示した正面図である。
【図１１】開口部を塞いだ状態を示した正面図である。
【図１２】開口部を塞いだ箇所を化粧パネルで覆った状態を示した断面図である。
【図１３】実施例の手摺取付構造の構成を説明する断面図である。
【図１４】実施例の手摺取付構造の構成を説明する正面図である。
【図１５】壁パネルに手摺が取り付けられた状態を説明する平面視で見た断面図である。
【図１６】支持部材の構成を説明する図であって、（ａ）は第１側部材の斜視図、（ｂ）は第２側部材の斜視図である。
【図１７】開口部が設けられた壁パネルの状態を示した正面図である。
【図１８】支持部材を壁パネルの内部に取り付ける工程を説明する工程図である。
【図１９】支持部材が取り付けられた後に開口部を塞ぐ工程を示した説明図である。
【図２０】開口部を塞いだ状態を示した断面図である。
【図２１】開口部を塞いだ箇所を化粧パネルで覆った状態を示した断面図である。
【発明を実施するための形態】
【００２１】
以下、本発明の実施の形態について図面を参照して説明する。図１，３，４，５は、本実施の形態の手摺取付構造の構成を説明する図である。この手摺取付構造は、既設の壁を構成する壁パネル１に手摺５を取り付けるに際して構築される。
【００２２】
まず、図２を参照しながら、手摺５が取り付けられる壁パネル１の構成について説明する。例えば複数の建物ユニットを上下左右に連結して構成されるユニット建物には、壁パネル１を使った間仕切壁が構築される。以下、壁パネル１を例に説明するが、これに限定されるものではなく、壁の表面材の後面側に枠材が配置される壁であれば、いずれの形態であっても本発明を適用できる。
【００２３】
壁パネル１は、手摺５を取り付ける側の表面材としての表面板１１と、表面板１１と間隔を置いて平行に配置される裏面板１２と、表面板１１と裏面板１２との間に介在させる枠材（１３，１４，１５，１６）とによって主に構成される。
【００２４】
表面板１１は、手摺５を取り付ける側の居室又は非居室の壁面又は壁の下地面を形成する。また、裏面板１２は、反対側の居室又は非居室の壁面又は壁の下地面を形成する。
【００２５】
表面板１１及び裏面板１２は、例えば石膏ボードや合板などによって形成される。以下では、石膏ボードを使用する場合を例に説明する。表面板１１に石膏ボードを使用する場合は、壁の下地面を形成することになるため、居室又は非居室側となる前面に壁紙が貼られたり塗装がされたりするが、これらの図示は省略する。
【００２６】
枠材には、壁パネル１の外縁を形成する縦外枠１５，１５及び横外枠１６，１６と、縦外枠１５，１５及び横外枠１６，１６に囲まれた空間に配置される複数の縦枠１３，１３及び横枠１４，・・・とがある。これらの枠材は、角材などによって形成される。
【００２７】
縦外枠１５，１５は、壁パネル１の両側縁を形成する鉛直材であり、横外枠１６，１６は、壁パネル１の上下の縁部を形成する水平材である。縦外枠１５，１５と横外枠１６，１６とによって、表面板１１及び裏面板１２と略同じ形状の長方形の外枠が形成される。
【００２８】
一方、縦枠１３，１３は、縦外枠１５，１５間のほぼ真ん中に、縦外枠１５，１５と略平行になるように配置される。また、２本の縦枠１３，１３は、隣接して配置される。
【００２９】
そして、横枠１４は、縦外枠１５と縦枠１３間に水平方向に向けて架け渡される。上下の横外枠１６，１６間には、複数の横枠１４，・・・が鉛直方向に間隔を置いて配置される。このようにして、枠材（１３，１４，１５，１６）を骨格とする壁パネル１が形成される。
【００３０】
このような既設の壁を形成する壁パネル１に取り付けられる手摺５は、図１，３−５に示すように、水平方向に間隔を置いて配置される複数の取付部としてのブラケット５１，５１，５１と、ブラケット５１，・・・に支持される手摺棒５２と、手摺棒５２の両端に取り付けられる端部固定具５３，５３とを主に備えている。
【００３１】
ブラケット５１は、手摺棒５２に作用した力の大半を壁パネル１に伝達させる部材で、ブラケット５１がしっかりと固定されていれば手摺５が外れてしまうことはない。
【００３２】
このブラケット５１は、図１，５に示すように、表面板１１側（詳細には後述する化粧パネル３の表面）に密着させる楕円状の基部５１１と、基部５１１から居室側に斜め上方を向けて張り出されるアーム部５１２と、アーム部５１２の上端に設けられる皿状の受部５１３とを備えている。
【００３３】
そして、図５に示すように、円柱状の手摺棒５２を受部５１３の上面に載せて、木ネジ５１４によって手摺棒５２を受部５１３に接合させる。手摺棒５２の端部は、図４，５に示すようにエルボ状の端部固定具５３によって表面板１１側（詳細には化粧パネル３の表面）に接続される。
【００３４】
このブラケット５１の基部５１１に設けられたガイド孔５１ａ，５１ｂには、軸状支持材としてのタッピングネジ４，４をそれぞれ挿入する。このタッピングネジ４の頭部４ａをブラケット５１に定着させ、先端４ｂを壁パネル１に打ち込むことで、手摺５を壁パネル１に支持させる。
【００３５】
このため、タッピングネジ４の先端４ｂが打ち込まれる部分が、充分な強度を有していなければならない。一方、既設の壁は、必ずしもブラケット５１を固定したい箇所が充分な強度を有しているとは限らない。そこで、ブラケット５１を取り付ける箇所が、手摺５を取り付けるのに充分な強度となるように手摺５の取付構造を構築する。
【００３６】
本実施の形態の手摺取付構造は、表面板１１の後面側空間（表面板１１と裏面板１２との間の空間）に挿入されて枠材（１３，１５）に固定される支持部材２と、手摺５周辺の壁面を覆う化粧材としての化粧パネル３と、上述したブラケット５１を固定させるタッピングネジ４，４とによって主に構成される。
【００３７】
そこで、まず支持部材２の構成について、図６，７を参照しながら説明する。この支持部材２は、図６（ａ）に示した逆門形の下部材２２０と、図６（ｂ）に示した下部材２２０上に配置される梁状の上部材２１０とを組み合わせて形成される。
【００３８】
下部材２２０は、壁パネル１の縦外枠１５と縦枠１３との内側面間の間隔に合わせて両端に配置される短柱材２３，２３と、短柱材２３，２３の下端間を繋ぐ２層の下桟２２Ａ，２２Ｂとによって構成される。短柱材２３と下桟２２Ａ，２２Ｂとは、スクリュー釘２６，・・・によって接合させる。
【００３９】
要するに下部材２２０は、両側面となる短柱材２３の外側面が縦外枠１５と縦枠１３の内側面にそれぞれ接触するように、横枠１４と同じ長さに形成される。
【００４０】
短柱材２３は、四角柱状の角材などを任意の高さに切断して形成することができるが、上下の横枠１４，１４間の空間に支持部材２が収容可能となる高さまでに抑える必要がある。
【００４１】
一方、下桟２２Ａ，２２Ｂは、それぞれ長尺板状の角材によって形成することができる。また、図１０に示すように壁パネル１の内部に例えばコンセント１７ａに繋がる配線１７がある場合は、配線１７と下桟２２Ａ，２２Ｂとが干渉する箇所に凹状の切欠部２２１を設ける。
【００４２】
図６（ｂ）は、上部材２１０の下面側を上に向けて示した図である。この上部材２１０は、横枠１４と同じ長さの上桟２１と、その上桟２１の下面側（図６（ｂ）では上面側）に取り付けられるＬ金具２４，２４とによって構成される。
【００４３】
上桟２１は、長尺板状の角材によって形成することができる。また、下桟２２Ａ，２２Ｂの切欠部２２１と対峙する部位に、同様の凹状の切欠部２１１が設けられる。
【００４４】
Ｌ金具２４は、下部材２２０の上に上部材２１０を載せたときに、上桟２１の下面と短柱材２３の内側面とにそれぞれ接触する位置に、木ネジ２５によって取り付けられる。
【００４５】
また、上部材２１０及び下部材２２０は、後述する表面板１１に開けられる開口部１０から後面側に挿入可能な大きさに形成される。このため、上部材２１０及び下部材２２０の大きさが小さいほど、開口部１０の大きさを小さくすることができる。
【００４６】
図７は、上部材２１０と下部材２２０とを組み合わせる状況を説明するとともに、保護管２７Ａ，２７Ｂ，２７Ｃを組み付ける手順を説明する図である。保護管２７Ａ，２７Ｂ，２７Ｃは、壁パネル１内部において鉛直方向に延びる配線１７を内空に挿通できるように、円筒状に形成されている。
【００４７】
保護管２７Ａ，２７Ｂ，２７Ｃは、いずれも同じ形状で、長さは設置する位置に合わせて調整される。保護管２７Ａ，２７Ｂ，２７Ｃの端部には、側方に向けて固定片２７１が張り出されており、この固定片２７１を介して上桟２１又は下桟２２Ａに固定される。
【００４８】
この保護管２７Ａ，２７Ｂ，２７Ｃの組み付けは、壁パネル１の内部で行われる。保護管２７Ａ，２７Ｂ，２７Ｃは、いずれも側面が連続して切り込まれた平面視Ｃ字形をしている。
【００４９】
この切り込まれた切れ目から配線１７に保護管２７Ｂを被せ、下方に下ろして保護管２７Ｂを下桟２２Ａ，２２Ｂの切欠部２２１に収容する。そして、下桟２２Ａの上面に接触した固定片２７１に対して、木ネジ２５をねじ込んで保護管２７Ｂを下桟２２Ａに固定する。
【００５０】
続いて配線１７の側方から保護管２７Ａを被せ、上方に上げて保護管２７Ａを上桟２１の切欠部２１１に収容する。そして、上桟２１の下面に接触した固定片２７１に対して、木ネジ２５をねじ込んで保護管２７Ａを上桟２１に固定する。
【００５１】
さらに、上桟２１と下桟２２Ａとの間で露出した配線１７には、保護管２７Ｃを被せる。なお、いずれの保護管２７Ａ，２７Ｂ，２７Ｃも、切れ目を短柱材２３と対向する向きにし、表面板１１側に向くことがないようにする。このように表面板１１側に切れ目を向けなければ、表面板１１側から打ち込まれたタッピングネジ４の先端４ｂが誤って保護管２７Ａ，２７Ｂ，２７Ｃの内部に侵入することを防止できる。
【００５２】
このように構成される支持部材２は、図１，１０に示すように、壁パネル１の内部、すなわち表面板１１と裏面板１２との間に配置される。そして、支持部材２の両側端は、図１０に示すようにスクリュー釘２６，・・・によって、縦枠１３と縦外枠１５とに固定される。
【００５３】
また、縦枠１３と縦外枠１５によって両側端が支持される支持部材２に、図１に示すように、手摺５のブラケット５１を固定する軸状支持材としてのタッピングネジ４，４が打ち（ねじ）込まれる。ここで、上段のタッピングネジ４は上段の下桟２２Ａにねじ込まれ、下段のタッピングネジ４は下段の下桟２２Ｂにねじ込まれる。
【００５４】
表面板１１には、支持部材２を取り付けるために、図８に示すような長方形の開口部１０，１０が設けられる。この開口部１０を設けるために切り取られた切取部１１ａは、支持部材２を設置した後に図１に示すように元の位置に閉塞材として戻される。この切取部１１ａの接合は、石膏ボード用の釘や木ネジ２５と接着剤３２によって行われる。
【００５５】
そして、切取部１１ａが居室側から見えなくなるように、化粧材としての化粧パネル３で壁パネル１の前面側を覆う。化粧パネル３は、図３（ｂ）に示すように、２つの開口部１０，１０を覆い隠すことができる大きさの長方形板状に形成される。
【００５６】
化粧パネル３の長手方向の端部には、必要に応じて見切材３１が取り付けられる。図３では、側壁１８と交差する入隅側は見切材３１が省略されている。また、化粧パネル３は、裏面に木工ボンドなどの接着剤が塗布されて、切取部１１ａの表面に貼り付けられる。さらに、化粧パネル３の縁部は、フィニッシュネイル（仕上げ釘、図示省略）によって表面板１１に固定される。
【００５７】
この化粧パネル３のタッピングネジ４を挿通させる箇所には、図１に示すように、タッピングネジ４の直径よりも大きな内径の貫通孔３３が穿孔される。化粧パネル３の貫通孔３３とタッピングネジ４との間に隙間をあけて双方を密着させなければ、タッピングネジ４から化粧パネル３に力が伝達されることがなくなる。
【００５８】
そして、このような取付構造とすることで、手摺棒５２に作用した力は、ブラケット５１を介してタッピングネジ４，４に伝わり、タッピングネジ４，４から大部分の力が支持部材２の下桟２２Ａ，２２Ｂに伝達される。さらに下桟２２Ａ，２２Ｂに伝達された力は、短柱材２３，２３を介して縦枠１３及び縦外枠１５に伝達される。
【００５９】
次に、本実施の形態の手摺取付方法について、図８−１２を参照しながら説明する。
【００６０】
まず、図８に示すように、壁パネル１の前面側（居室側）から、表面板１１の所定の位置に開口部１０，１０を設ける。開口部１０を設ける際には、切取部１１ａの外縁となる位置に墨出しを行い、丸のこぎりやカッターを使って慎重に切り取り作業を行う。
【００６１】
すなわち、切り取られずに残る部分は、手摺５を取り付けた後もそのまま壁面として使用されるので、汚したり破損したりしないように注意する。また、切取部１１ａについても、支持部材２を設置した後に再び開口部１０を塞ぐ閉塞材として利用するため、破損しないように注意する。
【００６２】
そして、図９（ａ）に示すように、開口部１０から支持部材２の下部材２２０を後面側（裏面板１２側）に向けて挿入する。この開口部１０は、下部材２２０よりわずかに大きく開口されているため、下部材２２０を水平にして裏面板１２に向けて押し込むことで壁内部に挿入することができる。
【００６３】
下部材２２０は、図９（ｂ）に示すように、壁パネル１の内部に挿入した後に下方に移動させて、上部材２１０を入れるスペースを空ける。続いて上部材２１０を、開口部１０から後面側（裏面板１２側）に向けて挿入する。
【００６４】
壁パネル１の内部では、図９（ｃ）に示すように、下部材２２０に上部材２１０を載せて、Ｌ金具２４に木ネジ２５をねじ込んで双方を接合させる。また、図７に示すように、保護管２７Ａ，２７Ｂ，２７Ｃを配線１７に被せて支持部材２に固定する。
【００６５】
このようにして壁パネル１の内部で組み立てられた支持部材２は、図９（ｄ）及び図１０に示すように、設置位置まで移動されて位置合わせがされた後に、スクリュー釘２６，・・・によって縦枠１３及び縦外枠１５に固定される。このスクリュー釘２６は、短柱材２３を貫通して縦枠１３又は縦外枠１５に先端が打ち込まれる。
【００６６】
このようにして支持部材２の両側端を縦枠１３及び縦外枠１５によって支持させた後に、図１１に示すように開口部１０を切取部１１ａで塞ぎ、木ネジ２５，・・・で切取部１１ａを支持部材２に接合する（図１２参照）。
【００６７】
また、開口部１０と切取部１１ａとの隙間は、耐火接着剤などの接着剤３２によって埋める。この接着剤３２を充填する際は、接着剤３２が前面側に盛り上がったり、化粧パネル３で覆われる範囲からはみ出したりしないように注意する。
【００６８】
続いて図１２に示すように、切取部１１ａ及び接着剤３２の充填箇所が覆い隠されるように化粧パネル３を前面側から取り付ける。化粧パネル３の後面には木工ボンドを塗布し、切取部１１ａに接着させる。また、化粧パネル３の縁部及び見切材３１には、図示しないフィニッシュネイルを打ち込み、表面板１１に固定させる。
【００６９】
このようにして化粧パネル３が取り付けられた壁パネル１に対して、図３に示すように化粧パネル３の長手方向に間隔を置いてブラケット５１，・・・を取り付ける。この図３では、手摺棒５２の中央と両端付近の３箇所にブラケット５１，５１，５１を配置している。
【００７０】
ここで、ブラケット５１の取付位置は、ブラケット５１を固定するタッピングネジ４の先端４ｂが、支持部材２又は縦枠１３若しくは縦外枠１５にねじ込まれる位置となる。
【００７１】
そこで、タッピングネジ４をねじ込む化粧パネル３の投影位置に、貫通孔３３を穿孔する。そして、図１に示すようにブラケット５１のガイド孔５１ａ，５１ｂにそれぞれタッピングネジ４，４を挿入し、貫通孔３３，３３を通過させて先端４ｂ，４ｂを下桟２２Ａ，２２Ｂにねじ込む。また、タッピングネジ４，４の頭部４ａ，４ａは、ブラケット５１に定着させる。
【００７２】
このようにして水平方向に間隔を置いて取り付けられたブラケット５１，・・・の受部５１３には、手摺棒５２を載せて木ネジ５１４で接合させる。さらに、手摺棒５２の両端には、端部固定具５３，５３を取り付ける。この端部固定具５３は、木ネジ２５によって支持部材２に固定された切取部１１ａ又は表面板１１に固定される。
【００７３】
次に、本実施の形態の手摺取付構造及び手摺取付方法の作用について説明する。
【００７４】
このように構成された本実施の形態の手摺取付構造は、手摺５のブラケット５１に頭部４ａを定着させるタッピングネジ４を、支持部材２に手摺５に作用した力が伝達されるように固定する。すなわち、タッピングネジ４の先端４ｂを支持部材２にねじ込む。そして、その支持部材２を壁の骨格である枠材（１３，１５）に固定する。また、壁パネル１の前面側に配置される化粧パネル３には、タッピングネジ４から力が伝達されないように、タッピングネジ４の直径よりも大きな貫通孔３３を設ける。
【００７５】
このため、手摺５から受ける力が支持部材２を介して壁パネル１の枠材（１３，１５）に伝達されることになるので、手摺５に大きな力が作用しても充分に支持させることができる。
【００７６】
また、開口部１０を塞いだ切取部１１ａを支持部材２に木ネジ２５によって接合させることで、切取部１１ａに固定された端部固定具５３から伝達された力も、支持部材２を介して枠材（１３，１５）に伝達させることができる。
【００７７】
また、支持部材２を開口部１０に挿入可能な複数の部材（２１０，２２０）によって構成することで、開口部１０の大きさを最小限に抑えることができる。開口部１０の大きさが小さくなれば、それを覆う化粧パネル３のデザインの制限が少なくなり、意匠性に富んだ外観を創出することができるようになる。
【００７８】
さらに、水平方向に延びる手摺５を既設の壁パネル１に取り付ける際に、壁パネル１の縦枠１３及び縦外枠１５に支持部材２の両側端を固定することで、確実に手摺５からの力を受けることができるようになる。
【００７９】
そして、既設の壁パネル１に前面側から開口部１０を設け、支持部材２や化粧パネル３を取り付けていく手摺取付方法であれば、すべて壁の前面側、すなわち居室側から簡単に作業を行うことができる。さらに、開口部１０を化粧パネル３で覆うため、壁紙の貼り替えを行う必要がない。
【実施例】
【００８０】
以下、前記した実施の形態とは別の形態の実施例について、図１３-図２１を参照しながら説明する。なお、前記実施の形態で説明した内容と同一乃至均等な部分の説明については、同一用語又は同一符号を付して説明する。
【００８１】
前記実施の形態では、水平方向に延びる横向きの手摺５の取付構造について説明したが、本実施例では鉛直方向に延びる縦向きの手摺８の取付構造について説明する
本実施例で説明する壁パネル１に取り付けられる手摺８は、図１３−１５に示すように、鉛直方向に延びる手摺棒８２と、手摺棒８２の両端に取り付けられる取付部としての端部取付部８１，８１とを主に備えている。
【００８２】
端部取付部８１は、手摺棒８２に作用した力の大半を壁パネル１に伝達させる部材で、端部取付部８１がしっかりと固定されていれば手摺８が外れてしまうことはない。
【００８３】
この端部取付部８１は、図１３に示すように、手摺棒８２の上端と下端に木ネジ８３によって接合される。また、端部取付部８１は、エルボ状に形成されて表面板１１側（詳細には化粧パネル７の表面）に接続される。
【００８４】
この端部取付部８１には、軸状支持材としてのタッピングネジ４を挿入する。このタッピングネジ４の頭部４ａを端部取付部８１に定着させ、先端４ｂを後述する手摺固定板４１に打ち込むことで、手摺８を壁パネル１に支持させる。
【００８５】
このため、タッピングネジ４が打ち込まれる部分が、充分な強度を有していなければならない。一方、既設の壁は、必ずしも端部取付部８１を固定したい箇所が充分な強度を有しているとは限らない。そこで、端部取付部８１を取り付ける箇所が、手摺８を取り付けるのに充分な強度となるように手摺８の取付構造を構築する。
【００８６】
本実施例の手摺取付構造は、表面板１１の後面側空間（表面板１１と裏面板１２との間の空間）に挿入されて横枠１４，１４に固定される支持部材６Ａ（６Ｂ）と、手摺８周辺の壁面を覆う化粧材としての化粧パネル７と、上述した端部取付部８１を固定させるタッピングネジ４とによって主に構成される。
【００８７】
そこで、まず支持部材６Ａ，６Ｂの構成について、図１６を参照しながら説明する。なお、支持部材６Ａ，６Ｂは、いずれも略同じ形状になるため、主に符号６Ａを使って説明する。この支持部材６Ａは、図１６（ａ）に示した逆コ字形の第２側部材６２０と、図１６（ｂ）に示した第２側部材６２０の右側に配置される柱状の第１側部材６１０とを組み合わせて形成される。
【００８８】
第２側部材６２０は、壁パネル１の横枠１４，１４の上下面間の間隔に合わせて上下端に配置される短桟材６３，６３と、短桟材６３，６３の側端部間を繋ぐ第２桟材６２とによって構成される。短桟材６３と第２桟材６２とは、スクリュー釘６６，・・・によって接合させる。
【００８９】
要するに第２側部材６２０は、上下面となる短桟材６３の上面又は下面が横枠１４，１４の下面又は上面にそれぞれ接触するように、横枠１４，１４の上下の間隔と同じ長さに形成される。
【００９０】
短桟材６３は、四角柱状の角材などを任意の幅に切断して形成することができるが、縦枠１３と縦外枠１５との間の空間に支持部材６Ａが収容可能となる幅までに抑える必要がある。
【００９１】
図１６（ｂ）は、第１側部材６１０の斜視図である。この第１側部材６１０は、横枠１４，１４の上下間隔と同じ長さの第１桟材６１と、その第１桟材６１の第２側部材６２０側（図１６（ｂ）では左側面側）に取り付けられるＬ金具６４，６４とによって構成される。
【００９２】
第１桟材６１は、長尺板状の角材によって形成することができる。また、Ｌ金具６４は、第２側部材６２０の右側に第１側部材６１０を隣接させたときに、第１桟材６１の側面と短桟材６３の下面（又は上面）とにそれぞれ接触する位置に、木ネジ６５によって取り付けられる。
【００９３】
また、第１側部材６１０及び第２側部材６２０は、後述する表面板１１に開けられる開口部１０Ａ，１０Ｂから後面側に挿入可能な大きさに形成される。このため、第１側部材６１０及び第２側部材６２０の大きさが小さいほど、開口部１０Ａ，１０Ｂの大きさを小さくすることができる。
【００９４】
このように構成される支持部材６Ａ，６Ｂは、図１３，１５に示すように、壁パネル１の内部、すなわち表面板１１と裏面板１２との間に配置される。そして、支持部材６Ａ，６Ｂの上下端は、図１３に示すようにスクリュー釘６６，６６によって、上下の横枠１４，１４に固定される。
【００９５】
また、横枠１４，１４によって上下端が支持される支持部材６Ａ，６Ｂには、閉塞板としての切取部１１ｂ，１１ｃが、それぞれ木ネジ６５，・・・によって接合される。
【００９６】
さらに、切取部１１ｂ，１１ｃの後面には、タッピングネジ４をねじ込む位置に合わせて、手摺固定板４１を木工ボンドによって貼り付ける。この手摺固定板４１は、図１３，１５に示すように、合板と一方の側縁に沿って取り付けられる縦桟４１ａとによって形成される。
【００９７】
そして、図１３に示すように、手摺８の端部取付部８１を固定する軸状支持材としてのタッピングネジ４が、切取部１１ｂ（１１ｃ）及び手摺固定板４１に打ち（ねじ）込まれる。
【００９８】
表面板１１には、支持部材６Ａ，６Ｂを取り付けるために、図１７に示すような長方形の開口部１０Ａ，１０Ｂが鉛直方向に間隔を置いて設けられる。これらの開口部１０Ａ，１０Ｂを設けるために切り取られた切取部１１ｂ，１１ｃが、支持部材６Ａ，６Ｂを設置した後に図１３に示すように元の位置に閉塞材として戻される。この切取部１１ｂ，１１ｃの接合は、石膏ボード用の釘や木ネジ６５と接着剤７２によって行われる。
【００９９】
そして、切取部１１ｂ，１１ｃが居室側から見えなくなるように、化粧材としての化粧パネル７で壁パネル１の前面側を覆う。化粧パネル７は、図１４に示すように、２つの開口部１０Ａ，１０Ｂを覆い隠すことができる大きさの長方形板状に形成される。
【０１００】
化粧パネル７の長手方向の端部（上下端）には、必要に応じて見切材７１，７１が取り付けられる。また、化粧パネル７は、裏面に木工ボンドなどの接着剤が塗布されて、切取部１１ｂ，１１ｃ及びその間の表面板１１の表面に貼り付けられる。さらに、化粧パネル７の縁部は、フィニッシュネイル（仕上げ釘、図示省略）によって表面板１１に固定される。
【０１０１】
この化粧パネル７のタッピングネジ４を挿通させる箇所には、図１３に示すように、タッピングネジ４の直径よりも大きな内径の貫通孔７３が穿孔される。化粧パネル７の貫通孔７３とタッピングネジ４との間に隙間をあけて双方を密着させなければ、タッピングネジ４から化粧パネル７に力が伝達されることがなくなる。
【０１０２】
そして、このような取付構造とすることで、手摺棒８２に作用した力は、端部取付部８１を介してタッピングネジ４，４に伝わり、タッピングネジ４，４から大部分の力が切取部１１ｂ（１１ｃ）及び手摺固定板４１に伝達される。そして、切取部１１ｂ（１１ｃ）から支持部材６Ａ（６Ｂ）の短桟材６３，６３に伝達される。さらに短桟材６３，６３に伝達された力は、横枠１４，１４に伝達される。
【０１０３】
次に、本実施例の手摺取付方法について、図１７−２１を参照しながら説明する。
【０１０４】
まず、図１７に示すように、壁パネル１の前面側（居室側）から、表面板１１の所定の位置に開口部１０Ａ，１０Ｂを設ける。開口部１０Ａ，１０Ｂを設ける際には、切取部１１ｂ，１１ｃの外縁となる位置に墨出しを行い、丸のこぎりやカッターを使って慎重に切り取り作業を行う。
【０１０５】
すなわち、切り取られずに残る部分は、手摺８を取り付けた後もそのまま壁面として使用されるので、汚したり破損したりしないように注意する。また、切取部１１ｂ，１１ｃについても、支持部材６Ａ，６Ｂを設置した後に再び開口部１０Ａ，１０Ｂを塞ぐ閉塞材として利用するため、破損しないように注意する。
【０１０６】
そして、図１８（ａ）に示すように、開口部１０Ａから支持部材６Ａの第２側部材６２０を後面側（裏面板１２側）に向けて挿入する。この開口部１０Ａは、第２側部材６２０よりわずかに大きく開口されているため、第２側部材６２０を水平にして裏面板１２に向けて押し込むことで壁内部に挿入することができる。
【０１０７】
第２側部材６２０は、図１８（ｂ）に示すように、壁パネル１の内部に挿入した後に左側に移動させて、第１側部材６１０を入れるスペースを空ける。続いて第１側部材６１０を、開口部１０Ａから後面側（裏面板１２側）に向けて挿入する。
【０１０８】
壁パネル１の内部では、図１８（ｃ）に示すように、第２側部材６２０の右側に第１側部材６１０を密着させて、Ｌ金具６４に木ネジ６５をねじ込んで双方を接合させる。
【０１０９】
このようにして壁パネル１の内部で組み立てられた支持部材６Ａは、図１８（ｄ）及び図１３に示すように、設置位置まで移動されて位置合わせがされた後に、スクリュー釘６６，・・・によって横縦１４に固定される。このスクリュー釘６６は、短桟材６３を貫通して横枠１４に先端が打ち込まれる。
【０１１０】
このようにして支持部材６Ａの上下端を横枠１４，１４によって支持させた後に、図１９，２０に示すように開口部１０Ａ，１０Ｂを切取部１１ｂ，１１ｃで塞ぎ、木ネジ６５，・・・で切取部１１ｂ，１１ｃを支持部材６Ａ，６Ｂにそれぞれ接合する。
【０１１１】
また、開口部１０Ａ，１０Ｂと切取部１１ｂ，１１ｃとの隙間は、耐火接着剤などの接着剤７２によって埋める。この接着剤７２を充填する際は、接着剤７２が前面側に盛り上がったり、化粧パネル７で覆われる範囲からはみ出したりしないように注意する。
【０１１２】
続いて図２１に示すように、切取部１１ｂ（１１ｃ）及び接着剤７２の充填箇所が覆い隠されるように化粧パネル７を前面側から取り付ける。化粧パネル７の後面には木工ボンドを塗布し、切取部１１ｂ（１１ｃ）に接着させる。また、化粧パネル７の縁部及び見切材７１には、図示しないフィニッシュネイルを打ち込み、表面板１１に固定させる。
【０１１３】
このようにして化粧パネル７が取り付けられた壁パネル１に対して、図１３，１４に示すように化粧パネル７の長手方向と手摺棒８２の軸方向を合わせて、端部取付部８１，８１及び手摺棒８２を取り付ける。
【０１１４】
ここで、端部取付部８１の取付位置は、端部取付部８１を固定するタッピングネジ４がねじ込まれる手摺固定板４１が取り付けられた範囲となる。そこで、タッピングネジ４をねじ込む化粧パネル７の投影位置に、貫通孔７３を穿孔する。
【０１１５】
そして、図１３に示すように端部取付部８１，８１にそれぞれタッピングネジ４，４を挿入し、貫通孔７３，７３を通過させて先端４ｂ，４ｂを切取部１１ｂ，１１ｃ及び手摺固定板４１，４１にねじ込んで貫通させる。また、タッピングネジ４，４の頭部４ａ，４ａは、端部取付部８１，８１にそれぞれ定着させる。
【０１１６】
このように構成された本実施例の手摺取付構造は、手摺８の端部取付部８１に頭部４ａを定着させるタッピングネジ４を、支持部材６Ａ（６Ｂ）に手摺８に作用した力が伝達されるように固定する。すなわちタッピングネジ４を、支持部材６Ａ（６Ｂ）に接合された切取部１１ｂ（１１ｃ）とその後面の手摺固定板４１にねじ込む。
【０１１７】
そして、その支持部材６Ａ（６Ｂ）を壁の骨格である横枠１４，１４に固定する。また、壁パネル１の前面側に配置される化粧パネル７には、タッピングネジ４から力が伝達されないように、タッピングネジ４の直径よりも大きな貫通孔７３を設ける。
【０１１８】
このため、手摺８から受ける力が支持部材６Ａ（６Ｂ）を介して壁パネル１の横枠１４，１４に伝達されることになるので、手摺８に大きな力が作用しても充分に支持させることができる。
【０１１９】
また、支持部材６Ａ（６Ｂ）に接合された切取部１１ｂ（１１ｃ）の後面に接合される手摺固定板４１の範囲内であれば、タッピングネジ４を打ち込むことで手摺８を固定することができるので、手摺８の取付位置の自由度を広げることができる。
【０１２０】
さらに、鉛直方向に延びる手摺８を既設の壁パネル１に取り付ける際に、壁パネル１の横枠１４，１４に支持部材６Ａ（６Ｂ）の上下端を固定することで、確実に手摺８からの力を受けることができるようになる。
【０１２１】
なお、他の構成及び作用効果については、前記実施の形態と略同様であるので説明を省略する。
【０１２２】
以上、図面を参照して、本発明の実施の形態を詳述してきたが、具体的な構成は、この実施の形態又は実施例に限らず、本発明の要旨を逸脱しない程度の設計的変更は、本発明に含まれる。
【０１２３】
例えば、前記実施の形態及び実施例では、長方形に枠組みされた支持部材２，６Ａ，６Ｂについて説明したが、これに限定されるものでなく、横桟や縦桟などのように軸部材のみで構成された支持部材であってもよい。
【０１２４】
また、前記実施の形態及び実施例では、軸状支持材としてタッピングネジ４を使って説明したが、これに限定されるものではなく、他のネジ状材、ボルト材、釘状材などを軸状支持材として使用することもできる。
【０１２５】
さらに、前記実施の形態及び実施例では、切取部１１ａ，１１ｂ，１１ｃを閉塞板として利用したが、これに限定されるものではなく、別途、閉塞板を用意してもよい。
【符号の説明】
【０１２６】
１            壁パネル（既設の壁）
１０，１０Ａ，１０Ｂ  開口部
１１          表面板（表面材）
１１ａ，１１ｂ，１１ｃ  切取部（閉塞板）
１３          縦枠（枠材）
１４          横枠（枠材）
１５          縦外枠（枠材）
１６          横外枠（枠材）
２            支持部材
２１０        上部材
２２０        下部材
３            化粧パネル（化粧材）
３３          貫通孔
４            タッピングネジ（軸状支持材）
４ａ          頭部
４ｂ          先端
４１          手摺固定板
５            手摺
５１          ブラケット（取付部）
６Ａ，６Ｂ    支持部材
６１０        第１側部材
６２０        第２側部材
７            化粧パネル（化粧材）
７３          貫通孔
８            手摺
８１          端部取付部（取付部）
【図１】
2014181520.tif 000003
【図２】
2014181520.tif 000004
【図３】
2014181520.tif 000005
【図４】
2014181520.tif 000006
【図５】
2014181520.tif 000007
【図６】
2014181520.tif 000008
【図７】
2014181520.tif 000009
【図８】
2014181520.tif 000010
【図９】
2014181520.tif 000011
【図１０】
2014181520.tif 000012
【図１１】
2014181520.tif 000013
【図１２】
2014181520.tif 000014
【図１３】
2014181520.tif 000015
【図１４】
2014181520.tif 000016
【図１５】
2014181520.tif 000017
【図１６】
2014181520.tif 000018
【図１７】
2014181520.tif 000019
【図１８】
2014181520.tif 000020
【図１９】
2014181520.tif 000021
【図２０】
2014181520.tif 000022
【図２１】
2014181520.tif 000023